(57)【特許請求の範囲】
【請求項１】
開口部を対向させた円弧形の錠本体内に、それぞれ摺動を自在にして、外周面にラックを備えた円弧形の閂杆と、一側にラック部を備えた施錠操作杆とを嵌装し、閂杆側のラック部と施錠操作杆側のラック部との間に、大径のピニオンと小径のピニオンを上下２段に備えたギア部材を回転自在に介設し、このギア部材の大径のピニオンを閂杆のラック部に、小径のピニオンを施錠操作杆側のラック部にそれぞれ噛合させて、錠本体の一側に具えたスリット外に臨出させた上記施錠操作杆の操作摘みをスリットの一端から他端に向けてスライドさせることによって施錠でき、上記施錠操作杆と操作摘みを施錠機構から分離させたことを特徴とする自転車用リング錠。
【請求項２】
前記錠本体は、前記施錠操作杆の摺動を妨げない位置に、前記閂杆を施錠位置に保持する施錠機構を備え、該施錠機構の内端部に連設したストッパー片を上記閂杆の一側に設けた切欠部と係合するように備え、上記閂杆を常時開錠方向に付勢するばねは、施錠操作杆の内端部と錠本体に設けたばね受け部との間に介設したことを特徴とする請求項１記載の自転車用リング錠。
【発明の詳細な説明】
【０００１】
【産業上の利用分野】
本発明は、両端に開口部を対向させた円弧形の錠本体内にラック部を具えた閂杆を嵌装して、該ラック部と噛合するギヤ部材を回転させることにより閂杆を施錠位置に前進させるようにしたことを特長とするものである。
【０００２】
【従来の技術】
従来のこの種の自転車用リング錠には、例えば本出願人の先願に特願２０００−２３６９９２号がある。
また閂杆を進退させるギヤ部材を電動で回転させるようにしたものには、例えば特開２０００−１９０８８５号公報、特開２０００−３１００７５号公報、特開２００１−３６２４号公報等がある。
【０００３】
上記先願のリング錠は、錠本体の一側に備えた施錠機構の内端部に、上記ギヤ部材を回転させるギヤを連結して、このギヤをキーの回転操作に従動させてラック部を駆動し、閂杆を施錠位置に前進させるようにしていたので、従来一般のリング錠に比べて構造が複雑になり、コスト高になる。また、施錠に際しては、復元ばねの蓄力に抗して行うキーを回転する操作が難しく、力を要するという問題があった。
また、前記電動型のリング錠には、上記先願のものに比べて操作力は要しないがさらに構造が複雑になり、高価になるので一般的に普及し難いという欠点がある。
【０００４】
【発明が解決しようとする課題】
以上のことから本発明が解決しようとする課題は、錠本体内に内蔵したギヤ部材の回転により施錠されるようにしたこの種のリング錠の構造をより簡素化して低コストに生産できるようにするとともに、施錠操作を容易にできるようにすることが課題となっていた。
【０００５】
【課題を解決するための手段】
そこで本発明は、開口部を対向させた円弧形の錠本体内に、それぞれ摺動を自在にして、外周面にラックを備えた円弧形の閂杆と、一側にラック部を備えた施錠操作杆とを嵌装し、閂杆側のラック部と施錠操作杆側のラック部との間に、大径のピニオンと小径のピニオンを上下２段に備えたギア部材を回転自在に介設し、このギア部材の大径のピニオンを閂杆のラック部に、小径のピニオンを施錠操作杆側のラック部にそれぞれ噛合させて、錠本体の一側に具えたスリット外に臨出させた上記施錠操作杆の操作摘みをスリットの一端から他端に向けてスライドさせることによって施錠でき、上記施錠操作杆と操作摘みを施錠機構から分離させたことを特徴とする自転車用リング錠を提供するものである。
【０００６】
上記のように構成した本発明リング錠は、閂杆を施錠位置へ前進させる施錠操作が、器体外に臨出する施錠操作摘みの一方方向への押し操作（摺動操作）によってできるので、力が入れ易くなり、比較的に容易に施錠できるようになる。また、施錠操作杆とその操作摘みを施錠機構から分離させることができるので、構造を簡素化してコストダウンできるようにすることも可能である。
【０００７】
錠本体に、施錠操作杆の摺動操作を妨げないようにした位置に、閂杆を施錠位置に保持する施錠機構を備え、該施錠機構の内端部に連設したストッパー片を上記閂杆の一側に設けた切欠部と係合するように備え、上記閂杆を常時開錠方向に付勢するばねを、施錠操作杆の内端部と錠本体に設けたばね受け部との間に介設した請求項２の発明は、施錠操作機構と施錠機構との分離により、施錠操作の容易化ができる。また、施錠操作杆の操作力が直接開錠用のばねに作用するので、施錠に要する力に無駄がないとう利点もある。
【０００８】
【実施例】
図１は、本発明の実施例を裏側から示す分解斜視図、図２は、開錠状態における錠本体の斜視図、図３は、錠本体からベースを外して内部構造を示す一部切欠裏面図である。
【０００９】
図１において、１は、円弧形の両端に門形に開口部２を形成したベース１ａと、閂杆３の収容部４、ギヤ部材５の収容部６、施錠機構７の収容部８、施錠操作杆９の収容部１０等を形成し、周縁部でベース１ａと互いに嵌合し合って一体に円弧形の器体を形成するカバー１ｂとからなる錠本体、１１は、箱型に形成された施錠操作杆９と錠本体内に設けたばね受部１２との間に介設されて、閂杆３を常時開錠方向に付勢するばね、１３は、施錠機構７の内端部に具えた角軸１４に嵌合して、施錠操作により回動してくる閂杆３の切欠部１５と係合して閂杆３の後退を阻止するストッパー片、１６は、ストッパー片１３を常時係合方向に付勢する押しばね、１７は、後述のスリット１８外に臨出して、錠本体１外にスライド可能に備えられる施錠操作摘みである。
【００１０】
閂杆３は、外周の一部にラック部１９を具え、ギヤ部材５は、大小のピニオン２０、２１を上下２段に一体形成し、図１に示す大径のピニオン２０を閂杆３のラック部１９と噛合させ、小径のピニオン２１を、施錠操作杆９の一側縁に具えたラック部２２と噛合させて、図３に示すように収容部６内の支持軸２３に遊嵌して、施錠操作杆９のスライド（図３の右から左への摺動）を閂杆３の回転（同図右回りの回転）に変換する。
【００１１】
施錠操作杆９の操作摘み１７は、図２に示すように錠本体１の上部に横に設けたスリット１８から器体外に臨出していて、施錠に際しては、施錠操作杆９の内端に直線的に連続する前記ばね１１に抗して同図左から右へ押す。
円弧形の閂杆３は、施錠操作杆９のスライドとともにギヤ部材５を介して図２において右回転し、図１、３に示すように、ラック部１９の始端部に形成した切欠部１５が上記施錠操作杆９のスライドの終端において、施錠機構７の内端部に連なるストッパー片１３の先端部と係合して後退を阻止され、図３中に虚線で示すように、錠本体１の他方の開口部２内に嵌入し、施錠状態に保持される。
【００１２】
施錠機構７は、上記施錠操作杆９の操作摘み１９の摺動を妨げない位置に備えられていて、外端面に備えた鍵穴２５に差し込まれるキー２４の回転に連動させて、ストッパー片１３を切欠部１５から脱出させる。同時に、切欠部１５の阻止を開放された閂杆３は、施錠時に付勢されたばね１１の反撥力によって開錠位置に復帰する。また、共に逆回転するギヤ部材５の作動とともに施錠操作杆９および操作摘み１９も図２に示す開錠位置に復帰する。
また、開錠状態のときにキー２４が鍵穴２５内に掛止され、施錠状態のときに携行可能に抜き出せるようになることは、従来の施錠機構の場合と同様である。
【００１３】
なお、実施例に採用した錠本体１、閂杆３の形状とか、施錠機構７の位置、施錠操作摘み１７の形状とかスリット１８の位置は、図示した態様に限られるものではなく、本発明の要旨にそって適宜に設計変更される場合もある。
【００１４】
【発明の効果】
前記のように構成し、上記のように用いられるようにした本発明自転車用リング錠は、閂杆を施錠位置へ前進させる施錠操作が、器体外に臨出する施錠操作摘みの一方方向への押し操作（摺動操作）によってできるので、従来のこの種のリング錠に比べて力が入れ易くなり、施錠操作が比較的に容易にできるようになる。また、施錠操作杆とその操作摘みを施錠機構から分離させることにより、構造の簡素化ができ、コストダウンが可能になるなど多くの優れた効果がある。
【００１５】
【図面の簡単な説明】
【図１】図１は、本発明の実施例を裏側から示す分解斜視図
【図２】図２は、開錠状態における錠本体の斜視図
【図３】図３は、錠本体からベースを外して内部構造を示す一部切欠裏面図である。
【符号の説明】
１  錠本体（１ａ  ベース、１ｂ  カバー）
２  開口部
３  閂杆
４  収容部
５  ギヤ部材
６  収容部
７  施錠機構
８  収容部
９  施錠操作杆
１０  収容部
１１  ばね
１２  ばね受部
１３  ストッパー片
１４  角軸
１５  切欠部
１６  押しばね
１７  操作摘み
１８  スリット
１９  ラック部
２０  ピニオン
２１  ピニオン
２２  ラック部
２３  支持軸
２４  キー
２５  鍵穴
【図１】
0003972325.tif 000002
【図２】
0003972325.tif 000003
【図３】
0003972325.tif 000004